(57)【要約】【課題】複数種類の記録媒体に対して情報を記録又は再生する情報記録再生装置において、挿入された記録媒体の種類を素早く判別する。【解決手段】制御部は、ステップ１でディスクマウントデータをチェックし、ステップ２でＣＤ系を優先すると判断したら、ステップ３でドライブ内のパラメータをＣＤ系の光ディスクに対する情報の記録及び再生用にセットし、ステップ４でＣＤ系ディスク判別処理を実行し、その判別処理からＣＤ系の光ディスクと判断したら、ステップ６でＣＤ系の光ディスクのマウント処理を行う。また、ＤＶＤ系を優先すると判断したら、ドライブ内のパラメータをＤＶＤ系用にセットし、ＤＶＤ系ディスク判別処理を実行し、その判別処理からＤＶＤ系と判断したら、ＤＶＤ系の光ディスクのマウント処理を行う。【選択図】      図１
2004234772.tif 000002
【特許請求の範囲】
【請求項１】
複数種類の記録媒体に対してそれぞれの種類に応じて情報を記録又は再生する動作を行う情報記録再生装置において、
前記記録媒体の種類を判別するときの判別順を示す種類判別順序情報を記憶する種類判別順序情報記憶手段と、該種類判別順序情報記憶手段に記憶された種類判別順序情報に基づく判別順で前記情報を記録又は再生する記録媒体の種類を判別する記録媒体種類判別手段とを設けたことを特徴とする情報記録再生装置。
【請求項２】
請求項１記載の情報記録再生装置において、
前記種類判別順序情報記憶手段は、前記情報記録再生装置における記録媒体の使用状況を前記記録媒体の種類を判別するときの判別順を示す種類判別順序情報として記憶する手段であることを特徴とする情報記録再生装置。
【請求項３】
請求項１記載の情報記録再生装置において、
前記種類判別順序情報記憶手段は、前記情報記録再生装置に電源が投入された後に最初に使用される記録媒体の種類の使用頻度情報を前記記録媒体の種類を判別するときの判別順を示す種類判別順序情報として記憶する手段であることを特徴とする情報記録再生装置。
【請求項４】
請求項１記載の情報記録再生装置において、
前記種類判別順序情報記憶手段は、前記情報記録再生装置にマウントされる記録媒体の種類のマウント頻度情報を前記記録媒体の種類を判別するときの判別順を示す種類判別順序情報として記憶する手段であることを特徴とする情報記録再生装置。
【請求項５】
請求項１乃至４のいずれか一項に記載の情報記録再生装置において、
前記種類判別順序情報記憶手段に記憶された種類判別順序情報を更新する手段を設けたことを特徴とする情報記録再生装置。
【請求項６】
請求項１記載の情報記録再生装置において、
前記種類判別順序情報記憶手段は、前記情報記録再生装置で前回使用された記録媒体の種類を前記記録媒体の種類を判別するときの判別順を示す種類判別順序情報として記憶する手段であることを特徴とする情報記録再生装置。
【請求項７】
請求項１記載の情報記録再生装置において、
前記種類判別順序情報記憶手段は、前記情報記録再生装置で過去に使用された最も最近の複数回分の記録媒体の種類から決定した最近の使用頻度の高い記録媒体の種類を、前記記録媒体の種類を判別するときの判別順を示す種類判別順序情報として記憶する手段であることを特徴とする情報記録再生装置。
【請求項８】
請求項１記載の情報記録再生装置において、
前記種類判別順序情報記憶手段は、外部から指定された記録媒体の種類を前記記録媒体の種類を判別するときの判別順を示す種類判別順序情報として記憶する手段であることを特徴とする情報記録再生装置。
【請求項９】
請求項８記載の情報記録再生装置において、
前記種類判別順序情報記憶手段に種類判別順序情報が記憶されていないとき、前記情報記録再生装置で使用された記録媒体の種類に基づく判別順で前記情報を記録又は再生する記録媒体の種類を判別する手段を設けたことを特徴とする情報記録再生装置。
【発明の詳細な説明】
【０００１】
【発明の属する技術分野】
この発明は、ＤＶＤとＣＤのコンボドライブ等の情報記録再生装置に関する。
【０００２】
【従来の技術】
複数種類の記録媒体に対して情報を記録又は再生する情報記録再生装置が多用されている。例えば、光ディスクドライブ装置には、ＣＤ−ＲＯＭディスク，ＣＤ−ＲＷディスク，ＣＤ−ＲディスクなどのＣＤ系の光ディスクと、ＤＶＤ−ＲＯＭディスク，ＤＶＤ＋ＲＷディスク，ＤＶＤ＋ＲディスクなどのＤＶＤ系の光ディスクとの複数種類の光ディスクに対する情報の記録と再生をサポートしている装置（このような光ディスクドライブ装置を「コンボドライブ」と称する）がある。
そのような光ディスクドライブ装置では、挿入された光ディスクの種類を認識してその光ディスクに対する情報の記録及び再生等の操作を可能にするマウント処理を行う必要がある。
【０００３】
そのマウント処理では、まず、挿入された光ディスクの種類を認識するために、ＣＤ系の光ディスクが挿入されたものと仮定してＣＤに対する情報の記録又は再生のためのＣＤ用の設定及び調整を行い、挿入された光ディスクに対してデータアドレスあるいはＡＴＩＰアドレスが読み取れるか否かの確認を行い、いずれかのアドレスが読み取れた場合はＣＤ系のディスクであると判別（識別）し、どちらのアドレスも読み取れない場合はＤＶＤ系の光ディスクが挿入されたものと仮定してＤＶＤに対する情報の記録又は再生のためのＤＶＤ用の設定及び調整を行い、挿入された光ディスクに対してデータアドレスあるいはＡＤＩＰアドレスが読み取れるか否かの確認を行い、いずれかのアドレスが読み取れた場合はＤＶＤ系のディスクであると判別（識別）していた。
【０００４】
図６は、従来の光ディスクのマウント処理を示すフローチャート図である。
光ディスクドライブ装置に光ディスクが装着されると、光ディスクドライブ装置の制御部は、ステップ（図中「Ｓ」で示す）４１でドライブ内のパラメータをＣＤ系の光ディスクに対する情報の記録及び再生用にセット（設定）し、ステップ４２で光ディスクがＣＤ系のどの種類の光ディスクかを判別するＣＤ系ディスク（ＤＩＳＣ）判別処理を実行する。
ステップ４３で上記判別処理の結果に基づいてＣＤ系の光ディスクか否かを判断し、ＣＤ系の光ディスクならばステップ４４へ進んでＣＤ系のマウント処理を行い、マウント処理を終了する。
一方、ＣＤ系の光ディスクでない場合、次に、ステップ４５でＤＶＤ系の光ディスクに対する情報の記録及び再生用のパラメータを設定し、ステップ４６で光ディスクがＤＶＤ系のどの種類の光ディスクかを判別し、ステップ４７でＤＶＤ系のマウント処理を行い、マウント処理を終了する。
【０００５】
さらに、従来の光ディスクのマウント処理時の光ディスクの種類の判断処理について説明する。
図７は、従来の光ディスクのマウント処理時の光ディスクの種類の判断処理を示すフローチャート図である。
光ディスクドライブ装置に光ディスクが挿入されると、光ディスクドライブ装置の制御部は、ステップ５１で挿入された光ディスクがＣＤと仮定してＣＤを識別する処理としてＣＤに対する情報の記録及び再生用にドライブの設定及び調整を行う。その後、ステップ５２で例えばその設定及び調整で光ディスク上のアドレスが読めるか否かによって挿入された光ディスクがＣＤディスクか否かを判断する。アドレス（データアドレス，ＡＴＩＰアドレス）が読めた場合はＣＤ系の光ディスクであると判断してステップ５３でＣＤ系の光ディスクに決定する。
【０００６】
一方、アドレスが読めなかった場合にはＣＤ系の光ディスクでないと判断し、ステップ５４でＤＶＤを識別する処理としてＤＶＤに対する情報の記録及び再生用にドライブの設定及び調整を行う。その後、ステップ５５でその設定及び調整で光ディスク上のアドレスが読めるか否かによって挿入された光ディスクがＤＶＤディスクか否かを判断する。アドレス（データアドレス，ＡＴＩＰアドレス）が読めた場合はＤＶＤ系の光ディスクであると判断してステップ５６でＤＶＤ系の光ディスクに決定する。また、アドレスが読めなかった場合にはステップ５７でＤＶＤ系の光ディスクではなと判断して不明な光ディスクとして処理する。
このようにして、どの種類の光ディスクが装着されても決まったシーケンスで光ディスクの書類を判断していた。
上述の説明では、ＣＤ系の光ディスク判別を先に行う場合について説明したが、ＤＶＤ系の光ディスク判別をまず初めに行い、つぎにＣＤ系の光ディスク判別を行うような場合もある。
【０００７】
【発明が解決しようとする課題】
しかしながら、従来のマウント処理時のシーケンスでは常に光ディスクの種類の判別順が同じなので、ＣＤ系の光ディスク判別処理を先に行い、その後にＤＶＤ系の光ディスク判別処理を行う場合、ＣＤ系の光ディスクを挿入したときはそのマウント処理は早く終了するが、ＤＶＤ系の光ディスクを挿入した場合、常にＣＤ系の光ディスク判別を行った後にＤＶＤ系の光ディスクのマウント処理を行うため、ＤＶＤ系の光ディスクのマウントに時間がかかってしまう。
したがって、使用者の光ディスクの使用状況によっては、例えばＤＶＤ系の光ディスクを多用している場合、ＤＶＤが挿入されたときには常に識別に要する時間が長くかかってしまって情報の記録又は再生を素早く行えないという問題があった。
同様に、はじめにＤＶＤの識別を行うようにすると今度はＣＤの識別に時間がかかってしまうことになる。
【０００８】
この発明は上記の課題を解決するためになされたものであり、複数種類の記録媒体に対して情報を記録又は再生する情報記録再生装置において、挿入された記録媒体の種類を素早く判別できるようにすることを目的とする。
【０００９】
【課題を解決するための手段】
この発明は上記の目的を達成するため、以下の（１）〜（９）の情報記録再生装置を提供する。
（１）複数種類の記録媒体に対してそれぞれの種類に応じて情報を記録又は再生する動作を行う情報記録再生装置において、上記記録媒体の種類を判別するときの判別順を示す種類判別順序情報を記憶する種類判別順序情報記憶手段と、その種類判別順序情報記憶手段に記憶された種類判別順序情報に基づく判別順で上記情報を記録又は再生する記録媒体の種類を判別する記録媒体種類判別手段を設けた情報記録再生装置。
【００１０】
（２）（１）の情報記録再生装置において、上記種類判別順序情報記憶手段を、上記情報記録再生装置における記録媒体の使用状況を上記記録媒体の種類を判別するときの判別順を示す種類判別順序情報として記憶する手段にした情報記録再生装置。
（３）（１）の情報記録再生装置において、上記種類判別順序情報記憶手段を、上記情報記録再生装置に電源が投入された後に最初に使用される記録媒体の種類の使用頻度情報を上記記録媒体の種類を判別するときの判別順を示す種類判別順序情報として記憶する手段にした情報記録再生装置。
（４）（１）の情報記録再生装置において、上記種類判別順序情報記憶手段を、上記情報記録再生装置にマウントされる記録媒体の種類のマウント頻度情報を上記記録媒体の種類を判別するときの判別順を示す種類判別順序情報として記憶する手段にした情報記録再生装置。
【００１１】
（５）（１）乃至（４）のいずれかの情報記録再生装置において、上記種類判別順序情報記憶手段に記憶された種類判別順序情報を更新する手段を設けた情報記録再生装置。
（６）（１）の情報記録再生装置において、上記種類判別順序情報記憶手段を、上記情報記録再生装置で前回使用された記録媒体の種類を上記記録媒体の種類を判別するときの判別順を示す種類判別順序情報として記憶する手段にした情報記録再生装置。
（７）（１）の情報記録再生装置において、上記種類判別順序情報記憶手段を、上記情報記録再生装置で過去に使用された最も最近の複数回分の記録媒体の種類から決定した最近の使用頻度の高い記録媒体の種類を、上記記録媒体の種類を判別するときの判別順を示す種類判別順序情報として記憶する手段にした情報記録再生装置。
【００１２】
（８）（１）の情報記録再生装置において、上記種類判別順序情報記憶手段を、外部から指定された記録媒体の種類を上記記録媒体の種類を判別するときの判別順を示す種類判別順序情報として記憶する手段にした情報記録再生装置。
（９）（８）の情報記録再生装置において、上記種類判別順序情報記憶手段に種類判別順序情報が記憶されていないとき、上記情報記録再生装置で使用された記録媒体の種類に基づく判別順で上記情報を記録又は再生する記録媒体の種類を判別する手段を設けた情報記録再生装置。
【００１３】
【発明の実施の形態】
以下、この発明の実施形態を図面に基づいて具体的に説明する。
図２は、この発明の一実施形態である光ディスクドライブ装置の構成を示すブロック図である。
この光ディスクドライブ装置は、ＣＤ−ＲＯＭディスク，ＣＤ−Ｒディスク，ＣＤ−ＲＷディスク，ＤＶＤ−ＲＯＭディスク，ＤＶＤ＋Ｒディスク，ＤＶＤ＋ＲＷディスク等の光ディスク１０を回転するスピンドルモータ１，記録時には光ディスク１０にレーザ光Ｌを照射して情報を記録し、再生時には光ディスク１０にレーザ光Ｌを照射してその反射光からの情報の信号を読み出す光ピックアップ２，光ピックアップ２からの信号からサーボ信号，データ信号などの必要となる信号の生成を行うアナログ信号処理部３を備えている。
【００１４】
また、アナログ信号処理部３からの信号からアドレス情報を生成するアドレス生成部４，アナログ信号処理部３からのサーボ信号を使用して光ピックアップ２上のアクチュエータ（公知なので図示を省略）やスピンドルモータ１を制御するサーボ処理部５，ＣＰＵ，ＲＯＭ及びＲＡＭ等からなるマイクロコンピュータによって実現され、装置全体を制御する制御部６，ホストコンピュータ（ホストＰＣ）との情報通信のインタフェース（Ｉ／Ｆ）を行うホストインタフェース（Ｈｏｓｔ・Ｉ／Ｆ）部７，ディスクマウントデータ（種類判別順序情報）等の各種のパラメータを格納するＦＲＯＭ等のメモリ８も備えている。
【００１５】
すなわち、この光ディスクドライブ装置が、複数種類の記録媒体に対してそれぞれの種類に応じて情報を記録又は再生する動作を行う情報記録再生装置に相当する。
また、上記制御部６，メモリ８等が、以下の（１）〜（９）の各手段の機能を果たす。
（１）記録媒体の種類を判別するときの判別順を示す種類判別順序情報を記憶する種類判別順序情報記憶手段と、その種類判別順序情報記憶手段に記憶された種類判別順序情報に基づく判別順で情報を記録又は再生する記録媒体の種類を判別する記録媒体種類判別手段。
【００１６】
（２）情報記録再生装置における記録媒体の使用状況を記録媒体の種類を判別するときの判別順を示す種類判別順序情報として記憶する種類判別順序情報記憶手段。
（３）情報記録再生装置に電源が投入された後に最初に使用される記録媒体の種類の使用頻度情報を記録媒体の種類を判別するときの判別順を示す種類判別順序情報として記憶する種類判別順序情報記憶手段。
（４）情報記録再生装置にマウントされる記録媒体の種類のマウント頻度情報を記録媒体の種類を判別するときの判別順を示す種類判別順序情報として記憶する種類判別順序情報記憶手段。
【００１７】
（５）上記種類判別順序情報記憶手段に記憶された種類判別順序情報を更新する手段。
（６）情報記録再生装置で前回使用された記録媒体の種類を記録媒体の種類を判別するときの判別順を示す種類判別順序情報として記憶する種類判別順序情報記憶手段。
（７）情報記録再生装置で過去に使用された最も最近の複数回分の記録媒体の種類から決定した最近の使用頻度の高い記録媒体の種類を、記録媒体の種類を判別するときの判別順を示す種類判別順序情報として記憶する種類判別順序情報記憶手段。
【００１８】
（８）外部から指定された記録媒体の種類を記録媒体の種類を判別するときの判別順を示す種類判別順序情報として記憶する種類判別順序情報記憶手段。
（９）上記種類判別順序情報記憶手段に種類判別順序情報が記憶されていないとき、情報記録再生装置で使用された記録媒体の種類に基づく判別順で情報を記録又は再生する記録媒体の種類を判別する手段。
【００１９】
次に、この光ディスクドライブ装置におけるこの発明に係るマウント処理について説明する。
図１は、図２に示した光ディスクドライブ装置におけるこの発明に係るマウント処理を示すフローチャート図である。
光ディスクドライブ装置に光ディスクが装着（挿入）されると、制御部６は、ステップ（図中「Ｓ」で示す）１でドライブ内のメモリに格納されているディスクマウントデータをチェックし、ＣＤ系の光ディスクとＤＶＤ系の光ディスクのどちらの光ディスクを優先して種類を判別してマウントするかをチェックする。
【００２０】
このディスクマウントデータは、光ディスクの種類を判別するときの判別順を示す種類判別順序情報であり、次の（イ）〜（ハ）がある。
（イ）この光ディスクドライブ装置における光ディスクの使用状況を挿入された光ディスクの種類を判別するときの判別順を示す情報
（ロ）この光ディスクドライブ装置に電源が投入された後に最初に使用される光ディスクの種類の使用頻度情報を挿入された光ディスクの種類を判別するときの判別順を示す情報
（ハ）この光ディスクドライブ装置にマウントされる光ディスクの種類のマウント頻度情報を挿入された光ディスクの種類を判別するときの判別順を示す情報
【００２１】
ステップ２でディスクマウントデータに基づいてＣＤ系の光ディスクを優先して種類を判別するか否かを判断する。
例えば、ディスクマウントデータが（イ）の情報であり、その情報がＣＤ系の光ディスクの使用頻度が高いことを示している場合、ＣＤ系の光ディスクの種類を判別してマウントする処理を優先して行う（先に行う）ものと判断し、その情報がＤＶＤ系の光ディスクの使用頻度が高いことを示している場合、ＤＶＤ系の光ディスクの種類を判別してマウントする処理を優先して行うものと判断する。
【００２２】
また、ディスクマウントデータが（ロ）の情報であり、その情報が光ディスクドライブ装置に電源が投入された後に最初に使用される使用頻度の最も高いのがＣＤ系の光ディスクの場合、ＣＤ系の光ディスクの種類を判別してマウントする処理を優先して行う（先に行う）ものと判断し、その情報が光ディスクドライブ装置に電源が投入された後に最初に使用される使用頻度の最も高いのがＤＶＤ系の光ディスクの場合、ＤＶＤ系の光ディスクの種類を判別してマウントする処理を優先して（先に）行うものと判断する。
【００２３】
あるいは、ディスクマウントデータが（ハ）の情報であり、その情報が光ディスクドライブ装置にマウントされるマウント頻度の最も高いのがＣＤ系の光ディスクの場合、ＣＤ系の光ディスクの種類を判別してマウントする処理を優先して行う（先に行う）ものと判断し、その情報が光ディスクドライブ装置にマウントされるマウント頻度の最も高いのがＤＶＤ系の光ディスクの場合、ＤＶＤ系の光ディスクの種類を判別してマウントする処理を優先して（先に）行うものと判断する。
【００２４】
ステップ２でＤＶＤ系の光ディスクの種類を判別してマウントする処理を優先すると判断したら、ステップ７へ進み、ステップ２でＣＤ系の光ディスクの種類を判別してマウントする処理を優先すると判断したら、ステップ３でドライブ内のパラメータをＣＤ系の光ディスクに対する情報の記録及び再生用にセット（設定）し、ステップ４で光ディスクがＣＤ系のどの種類の光ディスクかを判別するＣＤ系ディスク（ＤＩＳＣ）判別処理を実行する。
ステップ５で上記判別処理の結果に基づいてＣＤ系の光ディスクか否かを判断し、ＣＤ系の光ディスクならばステップ６へ進んでＣＤ系の光ディスクのマウント処理を行い、このマウント処理を終了する。また、ＣＤ系の光ディスクでない場合、ステップ７へ進む。
【００２５】
ステップ７ではドライブ内のパラメータをＤＶＤ系の光ディスクに対する情報の記録及び再生用にセット（設定）し、ステップ８で光ディスクがＤＶＤ系のどの種類の光ディスクかを判別するＤＶＤ系ディスク（ＤＩＳＣ）判別処理を実行する。
ステップ９で上記判別処理の結果に基づいてＤＶＤ系の光ディスクか否かを判断し、ＤＶＤ系の光ディスクならばステップ１０へ進んでＤＶＤ系の光ディスクのマウント処理を行い、このマウント処理を終了する。また、ＤＶＤ系の光ディスクでない場合、ステップ３の処理へ戻る。
【００２６】
次に、上記（ハ）の光ディスクドライブ装置にマウントされる光ディスクの種類のマウント頻度情報を挿入された光ディスクの種類を判別するときの判別順を示すディスクマウントデータの作成処理について説明する。
図３は、上記ディスクマウントデータを生成する処理を示すフローチャート図である。
図４は、ディスクマウントデータのフォーマットを示す図である。
【００２７】
ディスクマウントデータは９ビットのデータとし、光ディスクをマウントする毎にそのマウントされた光ディスクの種類を示すビットデータを順に格納する。まず、図３のステップ１１で光ディスクをマウントするマウント処理を行うと、ステップ１２でそのマウントされた光ディスクはＣＤ系の光ディスクか否かを判断し、ＣＤ系の光ディスクと判断したら、ステップ１３でディスクマウントデータを１ビット（ｂｉｔ）左にシフトし、ビット（ｂｉｔ）０にＣＤ系の光ディスクを優先して種類を判別してマウントすることを示すディスクマウントデータである“１”を入れる。また、マウントされた光ディスクがＤＶＤの場合、ステップ１５でビット（ｂｉｔ）０にはＤＶＤ系の光ディスクを優先して種類を判別してマウントすることを示すディスクマウントデータである“０”を入れる。
そして、ステップ１４でディスクマウントデータをメモリ（不揮発性メモリ）に格納してこの処理を終了する。
【００２８】
このようにして、図４の（ａ）に示すように、ディスクマウントデータ（種類判別順序情報）には、ＣＤ系の光ディスクを優先して種類を判別してマウントするか、ＤＶＤ系の光ディスクを優先して種類を判別してマウントするかのいずれかを示すビットを格納する。
例えば、マウントされた光ディスクがＣＤの場合、同図の（ｂ）に示すように、データを１ビット（ｂｉｔ）左にシフトし、ビット（ｂｉｔ）０にＣＤ系の光ディスクを優先して種類を判別してマウントすることを示すディスクマウントデータである“１”を入れる。また、マウントされた光ディスクがＤＶＤの場合、ビット（ｂｉｔ）０にはＤＶＤ系の光ディスクを優先して種類を判別してマウントすることを示すディスクマウントデータである“０”を入れる。
【００２９】
制御部６は、光ディスクをマウントする毎にメモリ８のディスクマウントデータを更新し、光ディスクのマウント処理の際には、上述のようにメモリ８のディスクマウントデータに基づいてＣＤ系の光ディスクを優先して種類を判別してマウントするか、ＤＶＤ系の光ディスクを優先して種類を判別してマウントするかを判断する。
このように、ディスクマウントデータをマウント毎に更新することにより、ユーザの光ディスクの使用状況の変化に対応して光ディスクの種類の判別とマウントを実行することができる。
なお、マウントデータが９ビットの場合、過去９回のマウンド結果が得られるが、１５ビット（ｂｉｔ）にした場合、過去１５回のマウントデータとなり、“１”又は“０”の多い方を優先してマウントを行うことができる。
【００３０】
このようにして、光ディスクドライブ装置で使用されることの多い光ディスクの種類から優先的に判別してマウントすることができる。
また、光ディスクドライブ装置に電源が投入されて最初に使用されることの多い光ディスクの種類から優先的に判別してマウントすることができる。
あるいは、光ディスクドライブ装置でマウントされることの多い光ディスクの種類から優先的に判別してマウントすることができる。
したがって、ユーザの光ディスクの使用状況に応じて光ディスクの種類の判別とマウントの処理をＣＤ系からＤＶＤ系へあるいはＤＶＤ系からＣＤ系へ切り換えるため、光ディスクのマウント時間が速くなる。例えば、ＤＶＤディスクを多用するユーザの場合にはＤＶＤディスクのマウント時間が速くなる。
【００３１】
次に、この光ディスクドライブ装置におけるこの発明に係る他のマウント処理について説明する。
ユーザが使用する光ディスクの種類は、ユーザによって偏りがある場合が多い。例えば、ＣＤ−ＲＯＭディスクが常に挿入されている場合や、書き込み型ＤＶＤディスクが常に挿入されている場合などがある。
そこで以下の方法によって光ディスク判別の時間を短縮することができる。
１．最も最近使用された光ディスクの種類の情報をメモリに記録しておき、挿入された光ディスクの判別を行うときは、そのメモリに記録されている情報の示す光ディスクから始める。
【００３２】
２．最近の何回か（例えば５回）に使用された光ディスクの種類をメモリに記録しておき、挿入された光ディスクの判別を行うときは、そのメモリに記録されている情報に基づいて最近の何回かのなかで最も多い種類の光ディスクから順番に判別を行う。
３．ユーザが予めホストＰＣなどからよく使用する光ディスクを指定すると、その指定された光ディスクの情報をメモリに記憶し、挿入された光ディスクの判別を行うときはそのメモリに記録されている情報の示す光ディスクから始める。
その場合、よく使用する光ディスクの設定はドライブ内のメモリに保存してもよいが、ホストＰＣ上のハードディスク内に保存してもよい。
また、“自動”という設定もできるようにしておいてそのときには上述の１や２の方法で判別を行うようにしてもよい。
【００３３】
すなわち、この場合上記制御部６，メモリ８等が、上記の（６）〜（９）の各手段（以下再度列挙する）の機能を果たす。
（６）情報記録再生装置で前回使用された記録媒体の種類を記録媒体の種類を判別するときの判別順を示す種類判別順序情報として記憶する種類判別順序情報記憶手段。
（７）情報記録再生装置で過去に使用された最も最近の複数回分の記録媒体の種類から決定した最近の使用頻度の高い記録媒体の種類を、記録媒体の種類を判別するときの判別順を示す種類判別順序情報として記憶する種類判別順序情報記憶手段。
【００３４】
（８）外部から指定された記録媒体の種類を記録媒体の種類を判別するときの判別順を示す種類判別順序情報として記憶する種類判別順序情報記憶手段。
（９）上記種類判別順序情報記憶手段に種類判別順序情報が記憶されていないとき、情報記録再生装置で使用された記録媒体の種類に基づく判別順で情報を記録又は再生する記録媒体の種類を判別する手段。
【００３５】
図５は、図２に示した光ディスクドライブ装置におけるこの発明に係るマウント処理時の光ディスクの種類の判別処理を示すフローチャート図である。
光ディスクドライブ装置に光ディスクが挿入されると、制御部６は、ステップ（図中「Ｓ」で示す）２１でドライブ内のメモリに格納されているディスクマウントデータをチェックし、ＣＤ系の光ディスクとＤＶＤ系の光ディスクのどちらの光ディスクを優先して種類を判別するかを判定する。
【００３６】
ここでのディスクマウントデータは、次の（ニ）〜（ヘ）の種類判別順序情報である。
（ニ）この光ディスクドライブ装置で前回使用された光ディスクの種類を挿入された光ディスクの種類を判別するときの判別順を示す種類判別順序情報。
（ホ）この光ディスクドライブ装置で過去に使用された最も最近の複数回分の光ディスクの種類から決定した最近の使用頻度の高い光ディスクの種類を挿入された光ディスクの種類を判別するときの判別順を示す種類判別順序情報。
（ヘ）外部（ホストＰＣ）から指定された光ディスクの種類を挿入された光ディスクの種類を判別するときの判別順を示す種類判別順序情報。
【００３７】
例えば、上述の（ニ）の光ディスクドライブ装置で前回使用された光ディスクの種類を挿入された光ディスクの種類を判別するときの判別順を示す種類判別順序情報であるディスクマウントデータを用いた場合、すなわち、前回マウントを行った光ディスクの種類によって判定を行う場合、前回マウントを行った光ディスクの種類はメモリ８に記憶されており、ステップ２１のＣＤ／ＤＶＤ識別処理で前回マウントを行った光ディスクがＤＶＤ系の光ディスクであれば今回はＤＶＤ系の光ディスクと判定し、ＣＤ系の光ディスクであれば今回はＣＤ系の光ディスクであると判定する。
【００３８】
また、上述の（ホ）の光ディスクドライブ装置で過去に使用された最も最近の複数回分の光ディスクの種類から決定した最近の使用頻度の高い光ディスクの種類を挿入された光ディスクの種類を判別するときの判別順を示す種類判別順序情報であるディスクマウントデータを用いた場合、すなわち、最近の複数回分の光ディスクの種類から決定した最近の使用頻度の高い光ディスクの種類から判定を行う場合、制御部６はメモリ８に記憶されている過去の使用された光ディスクの種類の情報から最近の使用頻度の高い光ディスクの種類を求め、ステップ２１のＣＤ／ＤＶＤ識別処理で最近の使用頻度の高い光ディスクがＤＶＤ系の光ディスクであれば今回はＤＶＤ系の光ディスクと判定し、ＣＤ系の光ディスクであれば今回はＣＤ系の光ディスクであると判定する。
【００３９】
あるいは、上述の（ヘ）のホストＰＣから指定された光ディスクの種類を挿入された光ディスクの種類を判別するときの判別順を示す種類判別順序情報であるディスクマウントデータを用いた場合、すなわち、予めホストＰＣから指定された光ディスクの種類から判定を行う場合、制御部６はメモリ８に記憶されているホストＰＣからのディスクマウントデータ（あるいはホストＰＣ上に記憶されているディスクマウントデータ）に基づいて、ステップ２１のＣＤ／ＤＶＤ識別処理でホストＰＣでＤＶＤ系の光ディスクが指定されていれば今回はＤＶＤ系の光ディスクと判定し、ＣＤ系の光ディスクであれば今回はＣＤ系の光ディスクであると判定する。
【００４０】
ステップ２２では上記判定結果に基づいてＣＤ系の光ディスクか否かを判断し、ＣＤ系の光ディスクだと判断した場合、ステップ２３でＣＤ系の光ディスクに対する情報の記録又は再生を行う設定と調整を行い、ＣＤ系の光ディスクを識別するＣＤ識別処理を行う。また、ステップ２２でＤＶＤ系の光ディスクだと判断した場合、ステップ３０でＤＶＤ系の光ディスクに対する情報の記録又は再生を行う設定と調整を行い、ＤＶＤ系の光ディスクを識別するＤＶＤ識別処理を行う。上述の設定及び調整は光ピックアップ２，アナログ信号処理部３，アドレス生成部４，サーボ処理部５などに対して行う。
【００４１】
ステップ２３ではＣＤ系の設定と必要となる調整を行うと、実際にＣＤ系の設定と調整で光ディスクからデータアドレス又はＡＴＩＰアドレスを読み出すことができるか否かの確認を行う。その確認結果に基づいてステップ２４ではＣＤ系の光ディスクか否かを判断する。制御部６はアドレス生成部４からアドレスを読むことができればＣＤ系の光ディスクであると判定する。
ステップ２４でＣＤ系の光ディスクであると判定した場合、ステップ２５でＣＤ系の光ディスクであることを決定し、この種類判別の処理を終了する。
その後、光ディスクのリードイン情報などを読み取ることにより、詳細な光ディスク判別を行うことになる。
また、アドレスを読むことが出来ない場合、ステップ２４でＣＤ系の光ディスクではないと判断した場合、ステップ２６のＤＶＤ識別処理でＤＶＤ系の光ディスクを判別する処理を行う。
【００４２】
ステップ２３ではＤＶＤ系の設定と必要となる調整を行うと、実際にＤＶＤ系の設定と調整で光ディスクからデータアドレス又はＡＴＩＰアドレスを読み出すことができるか否かの確認を行う。その確認結果に基づいてステップ２７ではＤＶＤ系の光ディスクか否かを判断する。制御部６はアドレス生成部４からアドレスを読むことができればＤＶＤ系の光ディスクであると判定する。
ステップ２７でＤＶＤ系の光ディスクであると判定した場合、ステップ２８でＤＶＤ系の光ディスクであることを決定し、この種類判別の処理を終了する。
その後、光ディスクのリードイン情報などを読み取ることにより、詳細な光ディスク判別を行うことになる。
また、アドレスを読むことが出来ない場合、ステップ２７でＤＶＤ系の光ディスクではないと判断した場合、ＣＤ系ディスクとＤＶＤ系ディスクのどちらでもないことになり、ステップ２９で不明な光ディスク（ＵＮＫＮＯＷＮ）と決定してこの処理を終了する。
【００４３】
一方、ステップ３０ではＤＶＤ系の設定と必要となる調整を行うと、実際にＤＶＤ系の設定と調整で光ディスクからデータアドレス又はＡＴＩＰアドレスを読み出すことができるか否かの確認を行う。その確認結果に基づいてステップ３１ではＤＶＤ系の光ディスクか否かを判断する。制御部６はアドレス生成部４からアドレスを読むことができればＤＶＤ系の光ディスクであると判定する。
ステップ３１でＤＶＤ系の光ディスクであると判定した場合、ステップ３２でＤＶＤ系の光ディスクであることを決定し、この種類判別の処理を終了する。
その後、光ディスクのリードイン情報などを読み取ることにより、詳細な光ディスク判別を行うことになる。
また、アドレスを読むことが出来ない場合、ステップ３１でＤＶＤ系の光ディスクではないと判断した場合、ステップ３３のＣＤ識別処理でＣＤ系の光ディスクを判別する処理を行う。
【００４４】
ステップ３３ではＣＤ系の設定と必要となる調整を行うと、実際にＣＤ系の設定と調整で光ディスクからデータアドレス又はＡＴＩＰアドレスを読み出すことができるか否かの確認を行う。その確認結果に基づいてステップ３４ではＣＤ系の光ディスクか否かを判断する。制御部６はアドレス生成部４からアドレスを読むことができればＣＤ系の光ディスクであると判定する。
ステップ３４でＣＤ系の光ディスクであると判定した場合、ステップ３５でＣＤ系の光ディスクであることを決定し、この種類判別の処理を終了する。
その後、光ディスクのリードイン情報などを読み取ることにより、詳細な光ディスク判別を行うことになる。
また、アドレスを読むことが出来ない場合、ステップ３４でＣＤ系の光ディスクではないと判断した場合、ＣＤ系ディスクとＤＶＤ系ディスクのどちらでもないことになり、ステップ３６で不明な光ディスク（ＵＮＫＮＯＷＮ）と決定してこの処理を終了する。
【００４５】
こうして、光ディスクの種類の判別処理が終了したときは、図２のメモリ８に判別した光ディスクの種類を示すディスクマウントデータを書き込んでおき、次回のマウント時に使用できるようにしておく。
このようにすることにより、前回と同じ種類の光ディスクを使用する場合は高速なディスク判別を行うことができる。
また、メモリ８に前回の光ディスクのみを記憶しておくのではなく、過去ｎ回の光ディスクを記憶するようにすれば、ＣＤ／ＤＶＤの判定では過去ｍ回のデータから例えば過去ｍ回で最も頻度が高い種類の光ディスクと判定することができる（上記ｎ，ｍは正の整数）。
【００４６】
あるいは、最も使用頻度の高い光ディスクをホストＰＣからユーザが設定すれば、その情報がホストＩ／Ｆ７経由で制御部６に知らされ、その種類の光ディスクからディスク判別を行うことができる。
また、ユーザがなにも設定をしていない場合、制御部６は上記の方法（前回の種類，又は過去ｍ回の最も頻度の高い種類）を使用するようにすれば高速な判定を行うことができる。
その場合は、制御部６，メモリ８等が、メモリ８に種類判別順序情報が記憶されていないとき、この光ディスクドライブ装置で使用された光ディスクの種類に基づく判別順で情報を記録又は再生する光ディスクの種類を判別する手段の機能を果たす。
【００４７】
このようにして、光ディスクドライブ装置で前回使用した光ディスクの種類から優先的に判別してマウントすることができる。
また、光ディスクドライブ装置で過去に複数回数分の使用履歴から使用頻度の高い光ディスクの種類から優先的に判別してマウントすることができる。
あるいは、ホストＰＣから指定された光ディスクの種類から優先的に判別してマウントすることができる。
また、メモリにユーザの指定したディスク種類の情報がない場合、ホストＰＣから指定されたディスク種類の情報が無い場合、上述の使用したディスク種類の情報に応じてディスク判別動作の順序を変更することかできる。
【００４８】
したがって、前回と同じ種類の光ディスクの場合は短時間で識別することができる。また、過去の使用頻度が高い光ディスクと同じ種類の光ディスクを使用する場合には短時間で識別することができる。
あるいは、ユーザによって指定された光ディスクと同じ種類の光ディスクを使用する場合には短時間で識別することができる。
また、ユーザが指定していない場合あるいは“自動”設定の場合でも光ディスクの使用状況に応じてその種類を判別してマウントし、すばやく情報の記録又は再生を行える。
【００４９】
【発明の効果】
以上説明してきたように、この発明の情報記録再生装置によれば、複数種類の記録媒体に対して情報を記録又は再生する情報記録再生装置において、挿入された記録媒体の種類を素早く判別することができる。
【図面の簡単な説明】
【図１】図２に示す光ディスクドライブ装置におけるこの発明に係るマウント処理を示すフローチャート図である。
【図２】この発明の一実施形態である光ディスクドライブ装置の構成を示すブロック図である。
【図３】ディスクマウントデータを生成する処理を示すフローチャート図である。
【図４】ディスクマウントデータのフォーマットを示す図である。
【図５】図２に示す光ディスクドライブ装置におけるこの発明に係るマウント処理時の光ディスクの種類の判別処理を示すフローチャート図である。
【図６】従来の光ディスクのマウント処理を示すフローチャート図である。
【図７】従来の光ディスクのマウント処理時の光ディスクの種類の判断処理を示すフローチャート図である。
【符号の説明】
１：スピンドルモータ    ２：光ピックアップ
３：アナログ信号処理部  ４：アドレス生成部
５：サーボ処理部        ６：制御部
７：ホストインタフェース（Ｉ／Ｆ）部  ８：メモリ
【図１】
2004234772.tif 000003
【図２】
2004234772.tif 000004
【図３】
2004234772.tif 000005
【図４】
2004234772.tif 000006
【図５】
2004234772.tif 000007
【図６】
2004234772.tif 000008
【図７】
2004234772.tif 000009